(57)【要約】      （修正有）【課題】ユーザビリティが向上した電極カテーテルを提供する。【解決手段】被検者の心臓内における電位を測定するための電極カテーテルは、心臓内に挿入されるシャフト２を備える。シャフト２は、先端部７と、先端部７に接続されたガイド部８と、を有する。電極カテーテルは、ガイド部８の外周面８Ｓに設けられたノンコンタクト電極５と、先端部７の外周面に設けられると共に、前記心内膜に接触するように構成された複数のリング電極６と、をさらに備える。ノンコンタクト電極５は、リング電極６が心内膜に接触した状態で心内膜に接触しないようにガイド部８の外周面８Ｓに設けられている。【選択図】図２
2019084143.tif 000002
【特許請求の範囲】
【請求項１】
被検者の心臓内における電位を測定するための電極カテーテルであって、
前記心臓内に挿入されるシャフトを備え、
前記シャフトは、
先端部と、
前記先端部に接続されたガイド部と、
を有し、
前記電極カテーテルは、
前記先端部又は前記ガイド部の外周面に設けられたノンコンタクト電極と、
前記先端部の外周面に設けられると共に、前記心内膜に接触するように構成された少なくとも一つのコンタクト電極と、
をさらに備え、
前記ノンコンタクト電極は、前記コンタクト電極が前記心内膜に接触した状態で前記心内膜に接触しないように前記先端部又は前記ガイド部の外周面に設けられている、
電極カテーテル。
【請求項２】
前記ノンコンタクト電極は、前記ガイド部の外周面に設けられている、請求項１に記載の電極カテーテル。
【請求項３】
前記ガイド部は、操作者の操作に応じて屈曲するように構成された屈曲部を有し、
前記ノンコンタクト電極は、前記先端部と前記屈曲部との間における、前記ガイド部の外周面に形成されている、請求項１又は２に記載の電極カテーテル。
【請求項４】
前記先端部と前記ガイド部との間の境界と前記ノンコンタクト電極との間の距離は、４０ｍｍ以下である、請求項２又は３に記載の電極カテーテル。
【請求項５】
前記ノンコンタクト電極は、前記心内膜に対向しない前記先端部の外周面に設けられている、請求項１に記載の電極カテーテル。
【請求項６】
前記コンタクト電極と前記ノンコンタクト電極は同一の材料により形成され、
前記ノンコンタクト電極の表面積は、前記コンタクト電極の表面積と略同一である、
請求項１から５のうちいずれか一項に記載の電極カテーテル。
【請求項７】
前記先端部の延出方向と前記ガイド部の延出方向が互いに異なる、請求項１から６のうちいずれか一項に記載の電極カテーテル。
【発明の詳細な説明】
【技術分野】
【０００１】
本開示は、電極カテーテルに関する。特に、本開示は、患者の心臓内における電位を測定するための電極カテーテルに関する。
【背景技術】
【０００２】
特許文献１は、患者の心臓内における電位を測定するための電極カテーテルを開示している。特許文献１に開示された電極カテーテルによれば、チューブ体の先端部に複数のリング電極が並んで設けられおり、複数のリング電極（コンタクト電極）によって心臓内の電位変化を測定することが可能となる。医療従事者は、電極カテーテルを移動させつつ、電極カテーテルから取得された心臓内の電位変化を注意深く観察することで、心臓内（例えば、左心房内）における不整脈（例えば、心房細動等）の発生箇所を推定することが可能となる。
【先行技術文献】
【特許文献】
【０００３】
【特許文献１】特開２００２−１９１５７１号公報
【発明の概要】
【発明が解決しようとする課題】
【０００４】
ところで、電極カテーテルを用いて心臓内の電位変化を測定するためには、前提条件として、各リング電極が心内膜に接触している必要がある。所定のリング電極が心内膜に接触していない場合では、所定のリング電極から取得された電気的信号は、心臓内の電位変化を反映していないためである。このため、医療従事者は、モニターに表示された各リング電極から取得される心臓内の電位変化（例えば、心電図波形）を観察する前に、各リング電極が心内膜に接触しているかどうかを確認しなければならない。一方、患者のＸ線透視画像を用いて所定のリング電極が心内膜に接触しているかどうかを正確に判定することは困難である。
【０００５】
このため、所定のリング電極と患者に取り付けられた電極との間のインピーダンス値の変化に基づいて、リング電極と心内膜との間の接触を判定する手法が検討されている。この点において、血液の導電率は心内膜の導電率よりも大きいため、リング電極が心内膜に接触した後のインピーダンス値は、リング電極が心内膜に接触する前のインピーダンス値よりも大きくなる。しかしながら、リング電極が心内膜に接触する前後においてインピーダンス値の変化が小さい場合には、リング電極と心内膜との間の接触を正確に判定することが困難となる。上記観点より電極カテーテルのユーザビリティをさらに向上させる余地がある。
【０００６】
本開示は、ユーザビリティが向上した電極カテーテルを提供することを目的とする。
【課題を解決するための手段】
【０００７】
本開示の一態様に係る電極カテーテルは、被検者の心臓内における電位を測定するように構成されている。電極カテーテルは、前記心臓内に挿入されるシャフトを備える。
前記シャフトは、
先端部と、
前記先端部に接続されたガイド部と、
を有する。
前記電極カテーテルは、
前記先端部又は前記ガイド部の外周面に設けられたノンコンタクト電極と、
前記先端部の外周面に設けられると共に、前記心内膜に接触するように構成された少なくとも一つのコンタクト電極と、
をさらに備える。
前記ノンコンタクト電極は、前記コンタクト電極が前記心内膜に接触した状態で前記心内膜に接触しないように前記先端部又は前記ガイド部の外周面に設けられている。
【発明の効果】
【０００８】
本開示によれば、ユーザビリティが向上した電極カテーテルを提供することができる。
【図面の簡単な説明】
【０００９】
【図１】本発明の実施形態（以下、単に本実施形態という。）に係る電極カテーテルの全体図である。
【図２】シャフトの先端部とガイド部を示す斜視図である。
【図３】電極カテーテルのシャフトの先端部を示す図であって、（ａ）は、先端部の一部を拡大して示した側面図である。（ｂ）は、（ａ）に示したＡ−Ａラインに沿って切断された先端部の断面図である。
【図４】リング電極が心内膜に接触している様子を示す図である。
【図５】（ａ）は、左心房内に挿入されたシャフトの屈曲する前の状態を示す図である。（ｂ）は、左心房内に挿入されたシャフトが屈曲した状態を示す図である。
【図６】本実施形態の変形例に係る電極カテーテルのシャフトを示す図である。
【図７】変形例に係る電極カテーテルのシャフトの先端部を示す図であって、（ａ）は、先端部の一部を拡大して示した側面図である。（ｂ）は、先端部の一部を拡大して示した平面図である。（ｃ）は、（ａ）に示したＢ−Ｂラインに沿って切断された先端部の断面図である。
【発明を実施するための形態】
【００１０】
以下、本発明の実施形態（以下、本実施形態という。）について図面を参照しながら説明する。尚、本実施形態の説明において既に説明された部材と同一の参照番号を有する部材については、説明の便宜上、その説明は省略する。また、本図面に示された各部材の寸法は、説明の便宜上、実際の各部材の寸法とは異なる場合がある。
【００１１】
図１は、本実施形態に係る電極カテーテル１の全体図を示す。図１に示すように、電極カテーテル１は、シャフト２と、ハンドル３と、コネクタ４とを備える。電極カテーテル１は、被検者（例えば、患者）の心臓内における電位（特に、電位変化）を測定するように構成されている。医療従事者は、シャフト２を被検者の心臓内に挿入した後に、心臓内においてシャフト２を移動させつつ、電極カテーテル１から取得された心臓内の電位変化を注意深く観察することで、心臓内（例えば、左心房内）における不整脈（例えば、心房細動等）の発生箇所を推定することができる。ここで、心臓内の電位の時間的変化を示す心電図波形は、シャフト２から取得された電気信号に基づいて生成されると共に、図示しない表示装置に表示される。
【００１２】
シャフト２は、心臓内に挿入されるように構成されている。シャフト２は、例えば、中空の可撓性チューブによって構成されており、先端部７と、ガイド部８とを有する。シャフト２は、例えば、樹脂材料によって形成される。先端部７は、被検者の心内膜に接触するように構成されている。特に、先端部７は、心内膜に接触するための接触面を構成するために面状（例えば、リング状）に形成されている（図２参照）。ガイド部８は、先端部７に接続されていると共に、先端部７と一体的に構成されている。先端部７の延出方向とガイド部８の延出方向は互いに異なる。この点において、先端部７とガイド部８は互いに直交していてもよいし、先端部７とガイド部８によって形成される角度は、７０°〜１１０°の範囲内に設定されてもよい。
【００１３】
ハンドル３は、医療従事者によって操作される。医療従事者は、ハンドル３に設けられた所定の操作部（図示せず）を操作することで、シャフト２のガイド部８の屈曲を制御することができる。特に、ガイド部８は、医療従事者の操作に応じて屈曲するように構成された屈曲部２０（図５参照）を有する。コネクタ４は、電極カテーテル１を入力アンプ装置（図示せず）に接続させるように構成されている。電極カテーテル１によって取得された心臓内の電位変化を示す電気信号は、コネクタ４を介して入力アンプ装置に入力される。
【００１４】
次に、図２及び図３を参照してシャフト２の先端部７の具体的構成について説明する。図２は、先端部７とガイド部８を示す斜視図である。図３（ａ）は、先端部７の一部を拡大して示した側面図である。図３（ｂ）は、図３（ａ）に示したＡ−Ａラインに沿って切断された先端部７の断面図である。
【００１５】
図２及び図３に示すように、電極カテーテル１は、複数のリング電極６（コンタクト電極の一例）と、一つのノンコンタクト電極５とを備える。複数のリング電極６は、被検者の心臓の心内膜に接触するように構成されている。複数のリング電極６は、先端部７の外周面７Ｓを囲むように設けられていると共に、互いに離間するように先端部７の延出方向に沿って配置されている。リング電極６は、導電材料によって形成されており、例えば、白金又は白金とイリジウムとの合金によって形成されてもよい。ノンコンタクト電極５（リファレンス電極ともいう。）は、ガイド部８の外周面８Ｓを囲むように外周面８Ｓ上に設けられている。特に、ノンコンタクト電極５は、リング電極６が心内膜に接触した状態で、心内膜に接触しないようにガイド部８の外周面８Ｓ上に設けられている。ノンコンタクト電極５は、導電材料によって形成されており、例えば、白金又は白金とイリジウムとの合金によって形成されてもよい。特に、リング電極６とノンコンタクト電極５は、同一の材料により形成されてもよい。さらに、ノンコンタクト電極５の表面積は、リング電極６の表面積と略同一であってもよい。尚、本実施形態では、１０個のリング電極６が先端部７の外周面７Ｓに設けられているが、リング電極６の個数は特に限定されるものではない。例えば、外周面７Ｓに設けられるリング電極６の個数は、１個であってもよい。
【００１６】
また、図３（ｂ）に示すように、電極カテーテル１は、シャフト２の中空部１３に設けられた複数の電線１２をさらに備える。各電線１２は、シャフト２の延出方向に沿って延びており、シャフト２の先端部７内に設けられた接続導体１６を介して対応するリング電極６に電気的に接続されている。心内電位の時間的変化を示す電気信号は、リング電極６から電線１２及びコネクタ４を介して入力アンプ装置に入力される。例えば、入力アンプ装置は、所定のリング電極６により取得される電気信号と当該所定のリング電極６にとは異なるリング電極６により取得される電気信号を差動増幅した上で、差動増幅された電気信号をＡＤ変換することで、任意の組み合わせの２つのリング電極６間の電圧の時間的変化を示す心電図波形データを生成可能である。また、ノンコンタクト電極５は、シャフト２のガイド部８内に設けられた接続導体１６を介して対応する電線１２に電気的に接続されている。
【００１７】
また、中空部１３には、シャフト２のガイド部８を屈曲させるように構成された操作ワイヤ（図示せず）が設けられてもよい。医療従事者によるハンドル３（図１参照）の操作に応じて操作ワイヤが屈曲することでガイド部８の一部が屈曲する（図５（ｂ）参照）。また、中空部１３には、複数の電線１２を埋め込むように絶縁性材料が充填されてもよい。
【００１８】
次に、リング電極６と被検者の身体の一部（例えば、背中等）に取り付けられたインピーダンス計測用電極との間のインピーダンス値と、ノンコンタクト電極５とインピーダンス計測用電極との間のインピーダンス値を比較することで、リング電極６と心内膜との間の接触を判定する手法について図４を参照して説明する。図４は、複数のリング電極６が心内膜に接触している様子を示す図である。
【００１９】
尚、インピーダンス計測用電極は、被検者の背中等の体表に取り付けられてもよいし、被検者の体内に取り付けられてもよい。この点において、複数のリング電極６の一つがインピーダンス計測用電極として機能してもよい。また、インピーダンス計測用電極はグランドに接続されてもよい。また、インピーダンス値は、インピーダンスの振幅である。リング電極６に関連するインピーダンス値は、リング電極６に印加される所定周波数の交流電圧の値と、リング電極６から出力される電流値に基づいて測定されてもよい。また、ノンコンタクト電極５に関連するインピーダンス値は、ノンコンタクト電極５に印加される所定周波数の交流電圧の値と、ノンコンタクト電極５から出力される電流値に基づいて測定されてもよい。さらに、リング電極６とノンコンタクト電極５は同一の材料により形成されると共に、ノンコンタクト電極５の表面積がリング電極６の表面積と略同一であるものとする。
【００２０】
最初に、各リング電極６が心内膜に接触していない状態について説明する。この状態では、リング電極６の表面は血液のみに接触しているため、リング電極６とインピーダンス計測用電極との間のインピーダンス値は、血液の導電率α１に基づいて主に決定される。一方で、ノンコンタクト電極５の表面も血液のみに接触しているため、ノンコンタクト電極５とインピーダンス計測用電極との間のインピーダンス値も、血液の導電率α１に基づいて主に決定される。このように、各リング電極６が心内膜に接触していない状態では、リング電極６とインピーダンス計測用電極との間のインピーダンス値は、ノンコンタクト電極５とインピーダンス計測用電極との間のインピーダンス値と略同一であるか、若しくは両インピーダンス値の差は小さい。
【００２１】
次に、図４に示すように、各リング電極６が心内膜に接触している状態では、リング電極６の表面は血液と心内膜の両方に接触しているため、リング電極６とインピーダンス計測用電極との間のインピーダンス値は、血液の導電率α１と心内膜の導電率α２に基づいて主に決定される。一方で、ノンコンタクト電極５の表面は血液のみに接触しているため、ノンコンタクト電極５とインピーダンス計測用電極との間のインピーダンス値は、血液の導電率α１に基づいて主に決定される。このように、各リング電極６が心内膜に接触している状態では、リング電極６とインピーダンス計測用電極との間のインピーダンス値は、ノンコンタクト電極５とインピーダンス計測用電極との間のインピーダンス値とは大きく異なる。
【００２２】
本実施形態によれば、各リング電極６が心内膜に接触した状態（図４に示す状態）であってもノンコンタクト電極５が心内膜に接触しない。このため、リング電極６とインピーダンス計測用電極との間のインピーダンス値（リング電極６に関連したインピーダンス値）とノンコンタクト電極５とインピーダンス計測用電極との間のインピーダンス値（ノンコンタクト電極５に関連したインピーダンス値）を比較することで、リング電極６が心内膜に接触しているかどうかを正確に判定することが可能となる。具体的には、リング電極６に関連したインピーダンス値とノンコンタクト電極５に関連したインピーダンス値との間の差が所定の閾値よりも小さい場合には、リング電極６が心内膜に接触していないと判定することができる。一方、リング電極６に関連するインピーダンス値とノンコンタクト電極５に関連するインピーダンス値との間の差が所定の閾値以上である場合には、リング電極６が心内膜に接触していると判定することができる。
【００２３】
したがって、ノンコンタクト電極５に関連するインピーダンス値を参照することでリング電極６が心内膜に接触しているかどうかを正確に判定することが可能となるため、被検者の心臓内（例えば、左心房内）の電位変化を正確に測定することが可能となる。このように、ユーザビリティが向上した電極カテーテル１を提供することができる。
【００２４】
特に、本実施形態では、シャフト２の先端部７を移動させることなく、先端部７の静止状態を維持したままリング電極６が心内膜に接触しているかどうかを正確に判定することができる。
【００２５】
尚、リング電極６に関連したインピーダンス値とノンコンタクト電極５に関連したインピーダンス値との比較に基づいたリング電極６と心内膜との間の接触判定は、電極カテーテル１に通信可能に接続されたコンピュータ（ＣＰＵ等のプロセッサ）によって自動的に判定されてもよい。この場合、コンピュータは、リング電極６に関連したインピーダンス値及びノンコンタクト電極５に関連したインピーダンス値を電極カテーテル１から取得した上で、当該取得されたインピーダンス値と接触判定プログラムに基づいて、リング電極６と心内膜との間の接触を自動判定してもよい。または、当該接触判定は、電極カテーテル１を操作する医療従事者によって主観的に判定されてもよい。この場合、医療従事者は、表示装置（図示せず）に表示されたリング電極６に関連したインピーダンス値とノンコンタクト電極５に関連したインピーダンス値を視認することで、リング電極６と心内膜との間の接触を主観的に判定してもよい。
【００２６】
また、本実施形態によれば、各リング電極６が同時に心内膜に接触可能であるため、各リング電極６に対応する心内電位の変化を同時に測定することができる。さらに、シャフト２の先端部７の延出方向とシャフト２のガイド部８の延出方向が互いに異なるため、先端部７と心内膜との間の接触面積を増やすことができ、同時に心内膜に接触可能なリング電極６の数を増やすことが可能となる。さらに、先端部７の外周面７Ｓに設けられたリング電極６が心内膜に接触した状態で、ガイド部８の外周面８Ｓに設けられたノンコンタクト電極５が心内膜と接触することが確実に防止される。
【００２７】
また、本実施形態によれば、リング電極６とノンコンタクト電極５は同一の材料によって形成されていると共に、ノンコンタクト電極５の表面積はリング電極５の表面積と略同一である。このため、リング電極６が心内膜に接触していない状態において、リング電極６に関連したインピーダンス値とノンコンタクト電極５に関連したインピーダンス値は略同一となる。このため、両インピーダンス値の間の差が小さい（特に、ゼロに近い）場合には、リング電極６は心内膜に接触していないと判定できる一方、両インピーダンス値の間の差が大きい場合には、リング電極６が心内膜に接触していると判定できる。尚、ノンコンタクト電極５は、リング電極６とは異なる導電材料によって形成されてもよいし、ノンコンタクト電極５の表面積はリング電極５の表面積と異なってもよい。この点において、例えば、リング電極６が心内膜に接触していない状態において、リング電極６に関連したインピーダンス値がＺ１であると共に、ノンコンタクト電極５に関連したインピーダンス値がＺ２（Ｚ１≠Ｚ２）であると仮定する。この場合、リング電極６に関連したインピーダンス値とノンコンタクト電極５との間の差ΔＺが（Ｚ２−Ｚ１）の付近の値である場合には、リング電極６は心内膜に接触していないと判定可能である。一方、リング電極６に関連したインピーダンス値とノンコンタクト電極５との間の差ΔＺが（Ｚ２−Ｚ１）から離れた値である場合には、リング電極６は心内膜に接触していると判定可能である。
【００２８】
次に、図５を参照してノンコンタクト電極５の設置位置について説明する。図５（ａ）は、左心房内に挿入されたシャフト２の屈曲する前の状態を示す図である。図５（ｂ）は、左心房内に挿入されたシャフト２が屈曲した状態を示す図である。図５に示すように、ノンコンタクト電極５は、ガイド部８の外周面８Ｓ上に設けられている。特に、一般成人の正常状態の左心房の径の上限値が４０ｍｍであることを考慮すれば、先端部７とガイド部８との境界とノンコンタクト電極５との間の距離が４０ｍｍ以下となるように、ノンコンタクト電極５はガイド部８の外周面８Ｓ上に設けられていることが好ましい。この点において、図５（ａ）に示すように、先端部７とノンコンタクト電極５との間の距離が４０ｍｍ以下である場合に、ノンコンタクト電極５が心内膜に接触した状態でノンコンタクト電極５と心内膜との間の接触を確実に防ぐことが可能となる。さらに、図５（ｂ）に示すように、ノンコンタクト電極５は、先端部７と屈曲部２０との間における、ガイド部８の外周面８Ｓに設けられていることがより好ましい。この場合も同様に、ノンコンタクト電極５が心内膜に接触した状態でノンコンタクト電極５と心内膜との間の接触を確実に防ぐことが可能となる。
【００２９】
（変形例）
次に、図６及び図７を参照することで、本実施形態の変形例に係る電極カテーテル１Ａについて以下に説明する。本変形例では、本実施形態の説明において既に説明された部材と同一の参照番号を有する部材については、説明の便宜上、その説明は省略する。図６は、変形例に係る電極カテーテル１Ａのシャフト２を示す図である。図７（ａ）は、先端部７の一部を拡大して示した側面図である。図７（ｂ）は、先端部７の一部を拡大して示した平面図である。図７（ｃ）は、図７（ａ）に示したＢ−Ｂラインに沿って切断された先端部７の断面図である。
【００３０】
本変形例に係る電極カテーテル１Ａは、複数のリング電極６に代わって、複数のチップ電極６Ａ（コンタクト電極の一例）が設けられている点で本実施形態に係る電極カテーテル１とは相違する。図６及び図７に示すように、各チップ電極６Ａは、シャフト２の先端部７の外周面７Ｓ上に設けられていると共に、心内膜に接触するように構成されている。外周面７Ｓ上に設けられたチップ電極６Ａの個数は、例えば１０個であるが、その個数は特に限定されない。複数のチップ電極６Ａは、互いに離間するように先端部７の延出方向に沿って配置されている。チップ電極６Ａは、本実施形態のリング電極６と同一の導電材料によって形成されてもよく、例えば、白金又は白金とイリジウムとの合金によって形成されてもよい。また、先端部７の外周方向Ｄ１（図７（ｃ）参照）に沿ったチップ電極６Ａの寸法Ｗは、先端部７の周長よりも小さい。ここで、先端部７の周長は、先端部７の外径に２πを乗算することにより得られる値である。特に、先端部７の外周方向Ｄ１に沿ったチップ電極６Ａの寸法Ｗは、先端部７の周長の５０％以下が好ましい。
【００３１】
また、先端部７が心臓の心内膜に接触した状態で、複数のチップ電極６Ａの各々が同時に心内膜に接触する。換言すれば、チップ電極６Ａは、心内膜に接触する先端部７の外周面７Ｓ上に位置する。各チップ電極６Ａは、シャフト２の中空部１３に設けられた複数の電線１２のうちの対応する一つに接続導体１６を介して電気的に接続されている。
【００３２】
また、図６に示すように、ノンコンタクト電極５Ａは、先端部７の外周面７Ｓ上に設けられている。特に、ノンコンタクト電極５Ａは、心内膜に接触しない外周面７Ｓ（換言すれば、心内膜に対向しない外周面）に設けられている。このため、ノンコンタクト電極５Ａは、チップ電極６Ａが心内膜に接触した状態で、心内膜に接触しない。ノンコンタクト電極５Ａは、導電材料によって形成されており、例えば、白金又は白金とイリジウムとの合金によって形成されてもよい。特に、チップ電極６Ａとノンコンタクト電極５Ａは、同一の材料により形成されてもよい。さらに、ノンコンタクト電極５Ａの表面積は、チップ電極６Ａの表面積と略同一であってもよい。また、ノンコンタクト電極５Ａは、先端部７内に設けられた接続導体１６を介して対応する電線１２に電気的に接続されている。
【００３３】
本変形例によれば、各チップ電極６Ａが心内膜に接触した状態（図６に示す状態）であってもノンコンタクト電極５Ａが心内膜に接触しない。このため、チップ電極６Ａとインピーダンス計測用電極との間のインピーダンス値（チップ電極６Ａに関連したインピーダンス値）とノンコンタクト電極５Ａとインピーダンス計測用電極との間のインピーダンス値（ノンコンタクト電極５Ａに関連したインピーダンス値）を比較することで、チップ電極６Ａが心内膜に接触しているかどうかを正確に判定することが可能となる。具体的には、チップ電極６Ａに関連したインピーダンス値とノンコンタクト電極５Ａに関連したインピーダンス値との間の差が所定の閾値よりも小さい場合には、チップ電極６Ａが心内膜に接触していないと判定することができる。一方、チップ電極６Ａに関連するインピーダンス値とノンコンタクト電極５Ａに関連するインピーダンス値との間の差が所定の閾値以上である場合には、チップ電極６Ａが心内膜に接触していると判定することができる。
【００３４】
したがって、ノンコンタクト電極５Ａに関連するインピーダンス値を参照することでチップ電極６Ａが心内膜に接触しているかどうかを正確に判定することが可能となるため、被検者の心臓内（例えば、左心房内）の電位変化を正確に測定することが可能となる。このように、ユーザビリティが向上した電極カテーテル１Ａを提供することができる。特に、本変形例では、シャフト２の先端部７を移動させることなく、先端部７の静止状態を維持したままチップ電極６Ａが心内膜に接触しているかどうかを正確に判定することができる。
【００３５】
以上、本発明の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【００３６】
例えば、本実施形態では、シャフト２の先端部７は、心内膜に接触するための接触面を構成するためにリング状に形成されているが、先端部７の形状はこれに限定されるものでない。例えば、先端部７は、放射状、ヘキサ状又は渦巻き状に形成されてもよい。
【符号の説明】
【００３７】
１，１Ａ：電極カテーテル
２：シャフト
３：ハンドル
４：コネクタ
５：リング電極（コンタクト電極の一例）
５，５Ａ：ノンコンタクト電極
６：リング電極
６Ａ：チップ電極
７：先端部
７Ｓ：外周面
８：ガイド部
８Ｓ：外周面
１２：電線
１３：中空部
１６：接続導体
２０：屈曲部
【図１】
2019084143.tif 000003
【図２】
2019084143.tif 000004
【図３】
2019084143.tif 000005
【図４】
2019084143.tif 000006
【図５】
2019084143.tif 000007
【図６】
2019084143.tif 000008
【図７】
2019084143.tif 000009